(57)【要約】【課題】本発明は収容したガラス基板の姿勢が振動等によって変動することを抑制して、安定した姿勢でガラス基板を保持することができるガラス基板収容治具を提供する。【解決手段】ガラス基板収容治具は、支持柱１０と支持柱２０とが所定の間隔で配置され、挟持片３１、３２が平坦な形状となる第１姿勢では、挟持片３１及び挟持片３２が互いに離間し、挟持片３１、３２が架け渡される部分における支持柱１０と支持柱２０との間隔が前記第１姿勢よりも小さくなって、挟持片３１、３２が、支持柱１０及び支持柱２０を通る面と交差する方向における同じ側へ突出するように湾曲した第２姿勢では、挟持片３１と挟持片３２との中央部が互いに当接する。【選択図】図７
2018116981.tif 000002
【特許請求の範囲】
【請求項１】
所定の方向に延出し、ガラス基板の一方の側端部を支持する第１支持柱と、
前記第１支持柱から離間するとともに所定の方向に延出し、前記ガラス基板の他方の側端部を支持する第２支持柱と、
前記第１支持柱と第２支持柱との間に架け渡され、前記ガラス基板の板面を挟持可能な挟持部とを備え、
前記挟持部は、
前記第１支持柱及び第２支持柱を通る面と交差する方向における、前記第１支持柱及び第２支持柱一側にて前記第１支持柱と第２支持柱との間に架け渡され、可撓性を有する第１挟持片と、
前記第１支持柱及び第２支持柱を通る面と交差する方向における、前記第１支持柱及び第２支持柱の他側にて前記第１支持柱と第２支持柱との間に架け渡され、可撓性を有する第２挟持片とを有し、
前記第１支持柱と第２支持柱とが所定の間隔で配置され、前記第１挟持片及び第２挟持片が平坦な形状となる第１姿勢では、前記第１挟持片及び第２挟持片が互いに離間し、
前記第１挟持片及び第２挟持片が架け渡される部分における前記第１支持柱と第２支持柱との間隔が前記第１姿勢よりも小さくなって、前記第１挟持片及び第２挟持片が、前記第１支持柱及び第２支持柱を通る面と交差する方向における同じ側へ突出するように湾曲した第２姿勢では、前記第１挟持片と第２挟持片との中央部が互いに当接する、
ことを特徴とするガラス基板収容治具。
【請求項２】
前記第１姿勢にあるガラス基板収容治具は、
前記第１支持柱及び第２支持柱の前記第１挟持片及び第２挟持片が架け渡される部分に、前記第１支持柱と第２支持柱との間隔が小さくなる方向の力、及び前記前記第１挟持片及び第２挟持片の湾曲方向へ前記第１支持柱及び第２支持柱をねじる力が付与されることにより、前記第２姿勢に変位する、
ことを特徴とする請求項１に記載のガラス基板収容治具。
【請求項３】
前記ガラス基板収容治具が前記第２姿勢にあるときの、前記第１挟持片及び第２挟持片が架け渡される部分における前記第１支持柱と第２支持柱との間隔を保持する保持部材を備える、
ことを特徴とする請求項１又は請求項２に記載のガラス基板収容治具。
【請求項４】
前記第１支持柱の前記第２支持柱と対向する面には、前記第１支持柱の延出方向に沿って形成され、前記ガラス基板の一方の側端部が挿入される第１溝が形成され、
前記第２支持柱の前記第１支持柱と対向する面には、前記第２支持柱の延出方向に沿って形成され、前記ガラス基板の他方の側端部が挿入される第２溝が形成され、
前記第１溝及び第２溝は、深さ方向へ行くに従って溝幅が小さくなる形状に形成される、
ことを特徴とする請求項１〜請求項３の何れか一項に記載のガラス基板収容治具。
【発明の詳細な説明】
【技術分野】
【０００１】
本発明は、ガラス基板に各種処理を行ったり、ガラス基板を運搬したりする際に、ガラス基板を収容するためのガラス基板収容治具に関する。
【背景技術】
【０００２】
一般的に、液晶ディスプレイ等に用いられるガラス基板に対して洗浄、乾燥、及びメッキ等の各種処理を行ったり、ガラス基板を運搬したりする際には、ガラス基板を収容治具に収容した状態で各種処理及び運搬が行われている。
しかし、近年においては、ガラス基板の大型化及び薄板化が進み、ガラス基板が可撓性を有するようになってきているため、ガラス基板を平坦な平板状の形状で収容治具に収容すると、ガラス基板が可撓性に起因して平坦な形状を維持できず、安定した状態で収容することが困難となっている。
【０００３】
従って、従来においては、可撓性を有したガラス基板等の板状部材を湾曲させた状態で保持することで、収容される板状部材の剛性を向上させるように構成した収容治具が考案されている。
例えば、特許文献１に開示される収容治具は、縦姿勢で配置されるガラス板の両側端部を支持することにより、ガラス板を湾曲させた状態で保持するとともに、ガラス板の幅方向中央部を湾曲方向とは反対側に押圧した状態で、ガラス板を収容している。
【０００４】
また、特許文献２に開示される収納容器は、フレキシブル性を有する基板の両側端部が収納容器の両側部に配置される保持部により支持されるように、基板を平坦な姿勢で収納した後、両側部の保持部同士の間隔を縮めて、当該保持部によって基板を湾曲させた状態で挟持するように構成されている。
【先行技術文献】
【特許文献】
【０００５】
【特許文献１】特開２０１５−２０４３７２号公報
【特許文献２】特開２００４−２５００８４号公報
【発明の概要】
【発明が解決しようとする課題】
【０００６】
前述の特許文献１に記載の収容治具においては、ガラス板を湾曲状態で保持するとともに、ガラス板の幅方向中央部を押圧した状態でガラス板が収容されているが、ガラス板の幅方向中央部は、単に押圧部材により押圧されているだけであるため、収容治具の運搬時等に生じる振動等によってガラス板に傷が発生する場合があった。
【０００７】
また、特許文献２に記載の収納容器においては、基板は両側端部が収納容器の保持部に支持されているだけであるため、収納容器の運搬時等に生じる振動等によって基板の幅方向中央部が自由に移動することが可能であり、基板を安定した姿勢で保持することが困難であった。
【０００８】
そこで、本発明においては、収容したガラス基板の姿勢が振動等によって変動することを抑制して、安定した姿勢でガラス基板を保持することができるガラス基板収容治具を提供するものである。
【課題を解決するための手段】
【０００９】
上記課題を解決するガラス基板収容治具は、以下の特徴を有する。
即ち、本発明に係るガラス基板収容治具は、所定の方向に延出し、ガラス基板の一方の側端部を支持する第１支持柱と、前記第１支持柱から離間するとともに所定の方向に延出し、前記ガラス基板の他方の側端部を支持する第２支持柱と、前記第１支持柱と第２支持柱との間に架け渡され、前記ガラス基板の板面を挟持可能な挟持部とを備え、前記挟持部は、前記第１支持柱及び第２支持柱を通る面と交差する方向における、前記第１支持柱及び第２支持柱の一側にて前記第１支持柱と第２支持柱との間に架け渡され、可撓性を有する第１挟持片と、前記第１支持柱及び第２支持柱を通る面と交差する方向における、前記第１支持柱及び第２支持柱の他側にて前記第１支持柱と第２支持柱との間に架け渡され、可撓性を有する第２挟持片とを有し、前記第１支持柱と第２支持柱とが所定の間隔で配置され、前記第１挟持片及び第２挟持片が平坦な形状となる第１姿勢では、前記第１挟持片及び第２挟持片が互いに離間し、前記第１挟持片及び第２挟持片が架け渡される部分における前記第１支持柱と第２支持柱との間隔が前記第１姿勢よりも小さくなって、前記第１挟持片及び第２挟持片が、前記第１支持柱及び第２支持柱を通る面と交差する方向における同じ側へ突出するように湾曲した第２姿勢では、前記第１挟持片と第２挟持片との中央部が互いに当接する。
このような構成により、ガラス基板は、両側端部が第１支持柱及び第２支持柱により支持されるのに加えて、中央部が第１挟持片と第２挟持片とにより挟持された状態で支持されるため、ガラス基板が第１挟持片及び第２挟持片に対して移動することが抑制され、ガラス基板収容治具に振動等が加わったとしても、ガラス基板の姿勢が変動することなく、ガラス基板は安定した姿勢でガラス基板収容治具に保持される。
【００１０】
また、前記第１姿勢にあるガラス基板収容治具は、前記第１支持柱及び第２支持柱の前記第１挟持片及び第２挟持片が架け渡される部分に、前記第１支持柱と第２支持柱との間隔が小さくなる方向の力、及び前記前記第１挟持片及び第２挟持片の湾曲方向へ前記第１支持柱及び第２支持柱をねじる力が付与されることにより、前記第２姿勢に変位する。
これにより、第１挟持片と第２挟持片とを確実に同じ方向へ湾曲させて、第１挟持片及び第２挟持片によりガラス基板を挟持することが可能となる。
【００１１】
また、前記ガラス基板収容治具が前記第２姿勢にあるときの、前記第１挟持片及び第２挟持片が架け渡される部分における前記第１支持柱と第２支持柱との間隔を保持する保持部材を備える。
これにより、第１支持柱と第２との間隔が変動することを抑制し、ガラス基板が湾曲した状態を保持することができる。
【００１２】
また、前記第１支持柱の前記第２支持柱と対向する面には、前記第１支持柱の延出方向に沿って形成され、前記ガラス基板の一方の側端部が挿入される第１溝が形成され、前記第２支持柱の前記第１支持柱と対向する面には、前記第２支持柱の延出方向に沿って形成され、前記ガラス基板の他方の側端部が挿入される第２溝が形成され、前記第１溝及び第２溝は、深さ方向へ行くに従って溝幅が小さくなる形状に形成される。
これにより、ガラス基板は側端部のエッジ部分のみが第１溝及び第２溝と当接し、ガラス基板の板面が第１溝及び第２溝に当接することがないため、ガラス基板の板面と第１溝及び第２溝とが擦れて、ガラス基板の板面に傷が付くことを防止することができる。
【発明の効果】
【００１３】
本発明によれば、ガラス基板収容治具に振動等が加わったとしても、ガラス基板の姿勢が変動することなく、安定した姿勢でガラス基板を保持することができる。
【図面の簡単な説明】
【００１４】
【図１】ガラス基板収容治具を示す正面図である。
【図２】ガラス基板収容治具の下端部を示す平面断面図である。
【図３】ガラス基板収容治具の下端部において支持柱と支持柱との間隔を狭めた状態を示す平面断面図である。
【図４】ガラス基板収容治具の上部を示す平面図である。
【図５】支持柱に形成される溝の底面を示す正面断面図である。
【図６】第１姿勢にあるガラス基板収容治具における支持柱の溝に上方からガラス基板を挿入する様子を示す斜視図である。
【図７】（ａ）は第１姿勢にあるガラス基板収容治具にガラス基板が挿入された状態を示す斜視図であり、（ｂ）は支持柱と支持柱との下端部の間隔を狭めてガラス基板収容治具を第２姿勢に変位させ、ガラス基板を湾曲させた状態を示す斜視図である。
【図８】支持柱の溝を示す平面図である。
【図９】ガラス基板収容治具に収容されたガラス基板の湾曲状態を保持するための保持部材を示す平面断面図である。
【図１０】ガラス基板収容治具が装着されるケースを示す斜視図である。
【図１１】ケースの嵌合溝にガラス基板収容治具を上方から挿入する状態を示す正面図である。
【図１２】ガラス基板収容治具が装着されたケースを示す斜視図である。
【図１３】側壁面をねじれるように形成したケースの嵌合溝を示す側面断面図である。
【図１４】側壁面をねじれるように形成したケースの嵌合溝を示す斜視図である。
【発明を実施するための形態】
【００１５】
次に、本発明に係るガラス基板収容治具を実施するための形態を、添付の図面を用いて説明する。
【００１６】
図１、図２に示すガラス基板収容治具１は、本発明に係るガラス基板収容治具の一実施形態であり、矩形のガラス基板Ｇを収容可能に構成されている。
ガラス基板Ｇは、ガラス基板収容治具１に収容された状態で、洗浄、乾燥、及びメッキ等の各種処理が行われたり、運搬がなされたりする。
【００１７】
ガラス基板収容治具１は、所定の方向に延出し、ガラス基板Ｇの一方の側端部Ｇａを支持する第１支持柱の一例である支持柱１０と、支持柱１０から離間するとともに所定の方向に延出し、ガラス基板Ｇの他方の側端部Ｇｂを支持する第２支持柱の一例である支持柱２０と、支持柱１０と支持柱２０との間に架け渡され、ガラス基板Ｇの板面を挟持可能な挟持部３０とを備えている。
【００１８】
ガラス基板収容治具１は、可撓性を有するガラス基板Ｇを収容するのに適しており、例えば厚みが１００μｍ以下又は５０μｍ以下のものが用いられるが、厚みが３００μｍ以下のガラス基板Ｇを用いることもできる。また、ガラス基板Ｇとしては、例えば３００ｍｍ×４００ｍｍ程度の大きさのものが用いられるが、１ｍ角程度の大型のガラス基板を用いることも可能である。
【００１９】
支持柱１０、２０は角柱状部材により構成されている。本実施形態においては、支持柱２０は、支持柱１０から離間した位置で支持柱１０と平行な方向に延出している。
支持柱１０の支持柱２０と対向する面には、支持柱１０の延出方向に沿って形成され、ガラス基板Ｇの一方の側端部Ｇａが挿入される第１溝の一例である溝１１が形成され、支持柱２０の支持柱１０と対向する面には、支持柱２０の延出方向に沿って形成され、ガラス基板Ｇの他方の側端部Ｇｂが挿入される第２溝の一例である溝２１が形成されている。溝１１と溝２１とは、互いに対向している。
【００２０】
本実施形態では、溝１１、２１はＶ溝に形成されており、深さ方向へ行くに従って溝幅が小さくなる形状となっている。溝１１、２１は、深さ方向へ行くに従って溝幅が小さくなる形状であればＶ溝以外の形状に形成することができ、例えば深さ方向へ行くに従って溝幅が小さくなる円弧形状やＵ字形状に形成することもできる。
支持柱１０、２０の長さは、ガラス基板Ｇの全体を溝１１、２１に挿入することができる程度の長さに設定されている。
【００２１】
挟持部３０は、溝１１及び溝２１を通る平面と交差する方向における、溝１１、２１の一側（図２における下側）にて支持柱１０と支持柱２０との間に架け渡され、可撓性を有する第１挟持片の一例である挟持片３１と、溝１１及び溝２１を通る平面と交差する方向における、溝１１、２１の他側（図２における上側）にて支持柱１０と支持柱２０との間に架け渡され、可撓性を有する第２挟持片の一例である挟持片３２とを有している。挟持片３１、３２は、支持柱１０、２０と交差する方向へ延出している。
【００２２】
挟持片３１は、その一端部が支持柱１０の下端部に形成される固定部材１０ａに固定されるとともに、他端部が支持柱２０の下端部に形成される固定部材２０ａに固定されることで、支持柱１０と支持柱２０との間に架け渡されており、ガラス基板収容治具１の下端部に配置されている。
挟持片３２は、その一端部が支持柱１０の下端部に形成される固定部材１０ｂに固定されるとともに、他端部が支持柱２０の下端部に形成される固定部材２０ｂに固定されることで、支持柱１０と支持柱２０との間に架け渡されており、ガラス基板収容治具１の下端部に配置されている。
挟持片３１、３２は、支持柱１０、２０の延出方向である上下方向において、ガラス基板収容治具１に収容されるガラス基板Ｇの下端部とオーバーラップする位置に配置されている。
【００２３】
挟持片３１、３２は、ガラス基板収容治具１に外力が作用していない状態では、直線状の平坦な形状となるように構成されており、この平坦な形状となっている状態の挟持片３１と挟持片３２とは互いに離間している。
また、外力が作用していない状態にあるガラス基板収容治具１においては、支持柱１０と支持柱２０との間隔は、湾曲していない平坦な平板状のガラス基板Ｇにおける一方の側端部Ｇａを溝１１に対して摺動させるとともに、他方の側端部Ｇｂを溝２１に対して摺動させて、ガラス基板Ｇをガラス基板収容治具１に挿入する、又は抜き出すことができるだけの間隔Ｗａとなっている。
【００２４】
このように、支持柱１０と支持柱２０とが間隔Ｗａを隔てて配置され、挟持片３１、３２が平坦な形状となるガラス基板収容治具１の姿勢を、第１姿勢と称する。
第１姿勢にあるガラス基板収容治具１に収容されたガラス基板Ｇは平坦な平板状であり、溝１１及び溝２１に支持されている。
【００２５】
挟持片３１、３２は、支持柱１０、２０の挟持片３１、３２が架け渡される部分に、支持柱１０と支持柱２０との間隔が小さくなる方向の力を付与することにより、溝１１及び溝２１を通る平面と交差する方向へ湾曲させることが可能である。
例えば図３に示すように、支持柱１０、２０の挟持片３１、３２が架け渡される部分である下端部に、支持柱１０と支持柱２０との間隔が小さくなる方向の力が付与されると、挟持片３１、３２は、溝１１及び溝２１を通る平面と交差する方向における同じ側へ突出するように湾曲する。図３においては、挟持片３１、３２は、共に上側へ突出するように湾曲している。
【００２６】
挟持片３１、３２は、溝１１及び溝２１を通る平面と交差する方向における同じ側へ突出するように湾曲した状態では、延出方向の中央部（図３における左右方向の中央部）が互いに当接するように構成されている。一方、挟持片３１、３２における延出方向の両端部は、互いに離間している。つまり、挟持片３１、３２が同じ側へ突出するように湾曲した状態では、挟持片３１、３２における延出方向の中央部のみが当接するように構成されている。
従って、挟持片３１と挟持片３２との間にガラス基板Ｇが介在した状態では、挟持片３１、３２が同じ側へ突出するように湾曲すると、挟持片３１、３２における延出方向の中央部によりガラス基板Ｇが挟持される。
【００２７】
また、図３においては、挟持片３１、３２が架け渡される部分の支持柱１０と支持柱２０との間隔は、間隔Ｗａよりも小さな間隔Ｗｂとなっている。
このように、挟持片３１、３２が架け渡される部分における支持柱１０と支持柱２０との間隔が第１姿勢における間隔Ｗａよりも小さな間隔Ｗｂとなって、挟持片３１及び挟持片３２が、溝１１及び溝２１を通る平面と交差する方向における同じ側へ突出するように湾曲している状態のガラス基板収容治具１の姿勢を、第２姿勢と称する。
第２姿勢にあるガラス基板収容治具１に収容されたガラス基板Ｇは、挟持片３１、３２に挟持された部分が、挟持片３１、３２の湾曲方向と同じ方向に湾曲した形状となり、溝１１及び溝２１に加えて、挟持片３１、３２によっても支持された状態となる。
【００２８】
図１、図４に示すように、ガラス基板収容治具１の上端部には、支持柱保持部材４０が配置されている。支持柱保持部材４０は、支持柱１０、２０と交差する方向へ延出しており、溝１１及び溝２１を通る平面と交差する方向における、溝１１、２１の他側（図４における上側）にて支持柱１０と支持柱２０との間に架け渡されている。
支持柱保持部材４０は、その一端部が支持柱１０の上端部に形成される固定部材１０ｃに固定されるとともに、他端部が支持柱２０の上端部に形成される固定部材２０ｃに固定されることで、支持柱１０と支持柱２０との間に架け渡されている。
【００２９】
支持柱保持部材４０を支持柱１０、２０の上端部に配置することにより、支持柱１０、２０の下端部に力を加えて、支持柱１０、２０の下端部における支持柱１０と支持柱２０との間隔を間隔Ｗａよりも小さい間隔Ｗｂとしたときに、支持柱１０、２０の上端部における支持柱１０と支持柱２０との間隔を間隔Ｗｂよりも大きい間隔に保持することが可能となっている。
また、ガラス基板収容治具１においては、支持柱１０、２０の下端部に加える力と同等の力を支持柱１０、２０の上端部に加えることで、支持柱保持部材４０を挟持片３１、３２と同様に湾曲させて、支持柱１０と支持柱２０との間隔を全体的に間隔Ｗｂとすることも可能である。
【００３０】
なお、支持柱保持部材４０は、例えば挟持片３１、３２と同等の剛性を有した部材にて構成することができる。
また、支持柱保持部材４０は、ガラス基板収容治具１を運搬する際の持ち手として用いることが可能である。支持柱保持部材４０を持ち手として用いることで、ガラス基板収容治具１を容易に運搬することが可能となる。
【００３１】
図５に示すように、支持柱１０、２０における溝１１、２１の下端部には、底面１０ｄ、２０ｄが形成されている（図５には底面１０ｄのみ記載している。底面２０ｄについては図１を参照。）。
溝１１、２１に底面１０ｄ、２０ｄを形成することで、溝１１、２１に挿入したガラス基板Ｇの下端が底面１０ｄ、２０ｄに当接して、ガラス基板Ｇをガラス基板収容治具１内に収容した状態で保持することが可能となっている。
【００３２】
ガラス基板収容治具１を構成する各部材（支持柱１０、２０、挟持片３１、３２、及び支持柱保持部材４０）の材質は特に問わないが、例えば塩化ビニール樹脂を用いることができる。但し、ガラス基板収容治具１に収容したガラス基板Ｇに対して、洗浄やメッキ等の処理を施す際には、ガラス基板収容治具１は防食性や耐薬品性を備えた材質の部材を用いることが好ましい。
【００３３】
このように構成されるガラス基板収容治具１においては、次のような手順によりガラス基板Ｇが収容される。
まず、図６に示すように、第１姿勢にあるガラス基板収容治具１の溝１１、２１に、上方から湾曲していない平坦な平板状のガラス基板Ｇを挿入する。
第１姿勢にあるガラス基板収容治具１においては、支持柱１０と支持柱２０との間隔は間隔Ｗａとなっており、挟持片３１、３２は平坦な形状となっており互いに離間しているため、図７（ａ）に示すように、平坦な平板状のガラス基板Ｇは挟持片３１と挟持片３２との間を通過して、下端部が底面１０ｄ、２０ｄに当接するまで挿入することが可能である。
【００３４】
次に、ガラス基板Ｇの下端部が底面１０ｄ、２０ｄに当接するまで、ガラス基板Ｇがガラス基板収容治具１に挿入された状態で、支持柱１０、２０の下端部に支持柱１０と支持柱２０との間隔が小さくなる方向の力を付与して、支持柱１０と支持柱２０との間隔を間隔Ｗｂに狭める。
【００３５】
図７（ｂ）に示すように、支持柱１０と支持柱２０との間隔が間隔Ｗｂに狭められると、挟持片３１、３２が溝１１及び溝２１を通る平面と交差する方向における同じ側へ突出するように湾曲されて、ガラス基板収容治具１は第２姿勢に変位する。同時に、ガラス基板Ｇは溝１１、２１により挟持片３１、３２と同じ方向へ湾曲するように挟持される。湾曲したガラス基板Ｇは、挟持片３１、３２における延出方向の中央部によっても挟持される。
つまり、ガラス基板収容治具１が第２姿勢に変位した状態では、ガラス基板Ｇは、下部が湾曲した状態で、溝１１、溝２１、及び挟持片３１、３２の中央部の３箇所により支持される。
【００３６】
このように、ガラス基板Ｇは、第２姿勢にあるガラス基板収容治具１により湾曲した形状で支持されるため、剛性が向上した状態となる。
また、ガラス基板Ｇは、両側端部Ｇａ、Ｇｂが溝１１、２１により支持されるのに加えて、下端部の幅方向中央部が挟持片３１、３２により挟持された状態で支持されるため、ガラス基板Ｇが挟持片３１、３２に対して移動することが抑制され、ガラス基板収容治具１に振動等が加わったとしても、ガラス基板Ｇの姿勢が変動することなく、ガラス基板Ｇは安定した姿勢でガラス基板収容治具１に保持される。
この場合、ガラス基板収容治具１においては、ガラス基板Ｇは湾曲して剛性が向上しており、溝１１、２１及び挟持片３１、３２によりしっかりと支持されているため、縦姿勢であるか横姿勢であるかにかかわらず、姿勢が変動することなく安定した姿勢で保持される。
【００３７】
なお、本実施形態の場合、挟持片３１、３２は支持柱１０、２０の下端部に配置されているが、挟持片３１、３２を支持柱１０、２０の上端部に配置したり、支持柱１０、２０の上下方向の途中部に配置したりした場合でも、ガラス基板Ｇを挟持片３１、３２により湾曲させて、溝１１、溝２１、及び挟持片３１、３２の中央部の３箇所で支持することが可能である。
【００３８】
但し、挟持片３１、３２を支持柱１０、２０の上端部に配置した場合は、ガラス基板収容治具１に収容されたガラス基板Ｇに対して洗浄処理やメッキ処理を行った後に、挟持片３１、３２とガラス基板Ｇとの接触部に洗浄液やメッキ液が多量に付着して流れ落ちることによりガラス基板Ｇの板面を汚すおそれがある。また、支持柱１０、２０の上下方向の途中部に配置した場合は、ガラス基板Ｇの処理面となる中央部を挟持片３１、３２により挟持することとなり、当該処理面に傷が付いたり異物が付着したりする原因となる。このようなことから、挟持片３１、３２は支持柱１０、２０の下端部に配置することが好ましい。
【００３９】
また、ガラス基板収容治具１が第２姿勢にあるときには、ガラス基板Ｇの両側端部Ｇａ、Ｇｂが溝１１、２１により支持されるが、図８に示すように（図８においては側端部Ｇｂのみ記載している）、溝１１、２１は深さ方向へ行くに従って溝幅が小さくなるＶ溝形状に形成されているため、ガラス基板Ｇは側端部Ｇａ、Ｇｂのエッジ部分Ｅｄのみが溝１１、２１と当接する。
このように、ガラス基板Ｇは側端部Ｇａ、Ｇｂのエッジ部分Ｅｄのみが溝１１、２１と当接し、ガラス基板Ｇの板面が溝１１、２１に当接することがないため、ガラス基板Ｇの板面と溝１１、２１とが擦れて、ガラス基板Ｇの板面に傷が付くことを防止することが可能となっている。
【００４０】
また、支持柱１０、２０の下端部に支持柱１０と支持柱２０との間隔が小さくなる方向の力を付与して、挟持片３１、３２を、溝１１及び溝２１を通る平面と交差する方向における同じ側へ突出するように湾曲させる場合、支持柱１０、２０の下端部に、支持柱１０、２０を挟持片３１、３２の湾曲方向へねじる力を同時に付与することが好ましい(図３に示す矢印参照)。
このように、挟持片３１、３２の湾曲方向へ支持柱１０、２０をねじる力を、支持柱１０、２０の下端部に付与することで、挟持片３１、３２を確実に同じ方向へ湾曲させて、挟持片３１、３２によりガラス基板Ｇを挟持することが可能となる。
【００４１】
また、図９に示すように、ガラス基板収容治具１は、支持柱１０と支持柱２０との下端部の間隔が間隔Ｗｂとなってガラス基板Ｇが湾曲した状態を保持するための保持部材５０を備えることが好ましい。
保持部材５０は、支持柱１０に係合する係合部５０ｂと、支持柱２０に係合する係合部５０ｃと、係合部５０ｂと係合部５０ｃとを連結する連結部５０ａとを備えている。
【００４２】
そして、支持柱１０と支持柱２０との下端部の間隔が間隔Ｗｂとなってガラス基板Ｇが湾曲している状態で、係合部５０ｂを支持柱１０の下端部に幅方向外側から係合させるとともに、係合部５０ｃを支持柱２０の下端部に幅方向外側から係合させて、保持部材５０を支持柱１０、２０の下端部に装着することで、支持柱１０と支持柱２０との間隔が間隔Ｗｂより大きくなることを抑制し、ガラス基板Ｇが湾曲した状態を保持することが可能となっている。
【００４３】
なお、保持部材５０を支持柱１０、２０に装着する際には、支持柱１０、２０の挟持片３１、３２が架け渡される部分に係合部５０ｂ、５０ｃを係合することが好ましい。このように、支持柱１０、２０の挟持片３１、３２が架け渡される部分に係合部５０ｂ、５０ｃを係合することで、ガラス基板Ｇの湾曲状態を確実に保持することが可能となる。
【００４４】
また、保持部材５０を支持柱１０、２０に装着する際には、溝１１及び溝２１を通る平面と交差する方向における挟持片３１、３２が湾曲する側とは反対側に連結部５０ａが位置するように装着することが好ましい。保持部材５０をこのように装着することで、挟持片３１、３２と連結部５０ａとが干渉することがなく、保持部材５０を確実に装着することが可能となる。
【００４５】
また、ガラス基板収容治具１は、図１０、図１１に示すようなケース６０に装着することで、第１姿勢から第２姿勢に変位させてガラス基板Ｇを湾曲状態で保持することが可能である。
ケース６０は、互いに対向配置される一対の側面板６１、６１と、側面板６１、６１の間隔を一定に保つように側面板６１、６１の下端部を支持する底板６２と、各側面板６１に形成される複数の嵌合溝６３とを備えている。
【００４６】
各嵌合溝６３の底面６３ａは、対向する嵌合溝６３、６３の底面６３ａ、６３ａの間隔が、ケース６０の上端側から下端側へ行くに従って小さくなるように傾斜している。
ケース６０の上端部における、対向する嵌合溝６３、６３の底面６３ａ、６３ａの間隔はＷｐに設定されており、ケース６０の下端部における、対向する嵌合溝６３、６３の底面６３ａ、６３ａの間隔はＷｐよりも小さいＷｑに設定されている。
【００４７】
ケース６０の上端部における間隔Ｗｐは、ガラス基板収容治具１の幅方向寸法Ｗｒよりも若干大きく形成されている。
ケース６０の下端部における間隔Ｗｑは、ガラス基板収容治具１をケース６０に装着した際に、支持柱１０、２０の下端部の間隔がＷａとなる大きさに設定されている。
【００４８】
このように構成されるケース６０の対向する嵌合溝６３、６３の間に、第１姿勢にあるガラス基板収容治具１を上方から挿入すると、支持柱１０、２０の下端部が嵌合溝６３、６３の底面６３ａ、６３ａに当接する。支持柱１０、２０の下端部が底面６３ａ、６３ａに当接した後、ガラス基板収容治具１をさらに挿入していくと、支持柱１０、２０の下端部が底面６３ａ、６３ａによって、支持柱１０、２０の間隔が狭くなる方向へ押圧され、支持柱１０、２０の下端部の間隔が間隔Ｗａよりも小さくなっていく。
そして、ガラス基板収容治具１が底板６２に当接するまで挿入されると、支持柱１０、２０の下端部の間隔が間隔Ｗｂとなって、ガラス基板収容治具１は第２姿勢に変位し、溝１１及び溝２１を通る平面と交差する方向に湾曲した挟持片３１、３２によりガラス基板Ｇが湾曲される。
【００４９】
図１２に示すように、ガラス基板収容治具１を対向する嵌合溝６３、６３の間に挿入してケース６０に装着することで、ガラス基板収容治具１を第２姿勢に保持することが可能となっている。対向する嵌合溝６３、６３は複数列形成されているため、ケース６０は複数のガラス基板収容治具１を装着することが可能となっている。
【００５０】
また、図１３、図１４に示すように、嵌合溝６３は、側壁面６３ｂ、６３ｂが、上端側から下端側へ行くに従って、複数列形成される嵌合溝６３、６３の配列方向(図１３における左右方向)にねじれるように形成することができる。
このように、嵌合溝６３を側壁面６３ｂ、６３ｂをねじれるように形成することで、ガラス基板収容治具１を嵌合溝６３、６３の間に挿入する際に、支持柱１０、２０を挟持片３１、３２の湾曲方向へねじる力を、支持柱１０、２０の下端部に付与することができ、挟持片３１、３２を確実に同じ方向へ湾曲させて、挟持片３１、３２によりガラス基板Ｇを挟持することが可能となる。
【符号の説明】
【００５１】
１    ガラス基板収容治具
１０    支持柱(第１支持柱)
１１    溝（第１溝）
２０    支持柱(第２支持柱)
２１    溝（第２溝）
３０    挟持部
３１    挟持片（第１挟持片）
３２    挟持片（第２挟持片）
Ｇ    ガラス基板
Ｇａ、Ｇｂ  （ガラス基板の）側端部
【図１】
2018116981.tif 000003
【図２】
2018116981.tif 000004
【図３】
2018116981.tif 000005
【図４】
2018116981.tif 000006
【図５】
2018116981.tif 000007
【図６】
2018116981.tif 000008
【図７】
2018116981.tif 000009
【図８】
2018116981.tif 000010
【図９】
2018116981.tif 000011
【図１０】
2018116981.tif 000012
【図１１】
2018116981.tif 000013
【図１２】
2018116981.tif 000014
【図１３】
2018116981.tif 000015
【図１４】
2018116981.tif 000016